(57)【要約】      （修正有）【課題】通常の場合は槽内の水を短時間で抜くことができ、非常時には槽内の水を少量ずつ取水できる非常時給水用配管付水槽（受水槽または高架水槽）を提供する。【解決手段】底部にある排水穴１１に一端が接続された排水管１２と、排水管１２の他端に一端が接続された変換管１と、排水管１２に設けられた１つの排水弁１３と、排水管１２より小さな口径を有し変換管１に接続可能な給水用配管２と、給水用配管２に設けられた流水量を調整する調整弁３とを有する。さらにまた、排水穴１１から放出される水を給水用配管２を経由しないで排水口１５に放出する手段と、排水穴１１から放出される水を給水用配管２を経由して放出する手段とを選択可能としている。【選択図】図１
0003175681.tif 000002
【実用新案登録請求の範囲】
【請求項１】
底部にある排水穴に一端が接続された排水管と、
該排水管の他端に一端が接続された変換管と、
前記排水管または前記変換管の少なくとも一方に設けられた少なくとも１つの排水弁と、
前記排水管より小さな口径を有し前記変換管に接続可能な給水用配管と、
該給水用配管に設けられた流水量を調整する調整弁と、
を有し、
前記排水穴から放出される水を前記給水用配管を経由しないで放出する手段と、前記排水穴から放出される水を前記給水用配管を経由して放出する手段とを選択可能としたことを特徴とする非常時給水用配管付水槽。
【請求項２】
前記排水弁は前記排水管に設けられ、前記給水用配管は前記変換管の他端に接続可能であり、前記給水用配管を前記変換管の他端に接続しないことにより前記排水穴から放出される水を前記給水用配管を経由しないで放出し、前記給水用配管を前記変換管の他端に接続することにより前記排水穴から放出される水を前記給水用配管を経由して放出することを特徴とする請求項１に記載の非常時給水用配管付水槽。
【請求項３】
前記排水弁の少なくとも１つは前記変換管に設けられ、前記給水用配管は前記変換管の前記排水弁より前記排水管側に接続され、前記変換管の前記排水弁を開くことにより前記排水穴から放出される水を前記給水用配管を経由しないで放出し、前記変換管の前記排水弁を閉じることにより前記排水穴から放出される水を前記給水用配管を経由して放出することを特徴とする請求項１に記載の非常時給水用配管付水槽。
【考案の詳細な説明】
【技術分野】
【０００１】
本考案は、非常時に給水用として使用可能な配管を備えた非常時給水用配管付水槽に関する。
【背景技術】
【０００２】
図７は従来の受水槽の基本的な構成を模式的に示す構成図である。従来、受水槽や高架水槽においては、設備の点検時や槽内を清掃するときに槽内の水をすべて抜くための排水穴１１が槽１０の底部に設けられ、その排水穴１１に接続された排水管１２により排水の受け口である排水口１５まで導かれている。通常、排水管１２の出口に排水弁１３が設置されている。従来の受水槽の例が特許文献１および２に記載されている。
【先行技術文献】
【特許文献】
【０００３】
【特許文献１】特開平７−２１６９４６号公報
【特許文献２】特開平１１−１８１８４８号公報
【考案の概要】
【考案が解決しようとする課題】
【０００４】
特許文献１および特許文献２に記載の受水槽を含め、従来の受水槽や高架水槽においては、一般的に、短時間での排水が可能なように、排水管は５０ｍｍ〜１００ｍｍ程度の大きな口径を有している。一方、災害などの発生により停電となった場合、非常用の電源などを備えていても、停電期間が長期化すれば通常の給水設備は稼動できなくなる。このような非常時には、受水槽や高架水槽に貯まっている水を有効に利用することが必要となる。
【０００５】
受水槽や高架水槽に貯まっている水を取り出す方法としては、上記の排水管を利用する方法が考えられる。しかし、上記のように配水管の口径は大きく、さらに排水管に設けられている排水弁では少量の水量の調整を行うことができない。災害時には飲用可能な水は貴重となり、少量ずつ取水できることが望まれる。一方、上述のように設備の点検時や槽内の清掃時には短時間で水を抜くことが要求されるので現状の排水管や排水弁が必要となる。
【０００６】
そこで、本考案は、係る問題を解決するためになされたものであり、通常の場合は槽内の水を短時間で抜くことができ、非常時には槽内の水を少量ずつ取水できる非常時給水用配管付水槽を提供することを目的とする。
【課題を解決するための手段】
【０００７】
第１の観点では、本考案の非常時給水用配管付水槽は、底部にある排水穴に一端が接続された排水管と、該排水管の他端に一端が接続された変換管と、前記排水管または前記変換管の少なくとも一方に設けられた少なくとも１つの排水弁と、前記排水管より小さな口径を有し前記変換管に接続可能な給水用配管と、該給水用配管に設けられた流水量を調整する調整弁とを有し、前記排水穴から放出される水を前記給水用配管を経由しないで放出する手段と、前記排水穴から放出される水を前記給水用配管を経由して放出する手段とを選択可能としたことを特徴とする。本考案では、通常の場合には排水穴から放出される水を従来と同様な口径の大きい排水管と排水弁を経由して放出する手段を選択し、非常時には調整弁を設けた口径の小さな給水用配管を経由して放出する手段を選択できるので、通常の場合は槽内の水を短時間で抜くことができ、非常時には槽内の水を少量ずつ取水できる。
【０００８】
第２の観点では、本考案は、前記第１の観点の非常時給水用配管付水槽において、前記排水弁は前記排水管に設けられ、前記給水用配管は前記変換管の他端に接続可能であり、前記給水用配管を前記変換管の他端に接続しないことにより前記排水穴から放出される水を前記給水用配管を経由しないで放出し、前記給水用配管を前記変換管の他端に接続することにより前記排水穴から放出される水を前記給水用配管を経由して放出することを特徴とする。本観点の考案では、通常の場合には排水管の出口に変換管を接続した状態で排水管と排水弁を経由して変換管の出口から排水を放出し、非常時には調整弁を設けた口径の小さな給水用配管を変換管の出口に接続することにより給水用配管を経由して放出することができる。この構成では、従来の受水槽または高架水槽の排水管に変換管を接続しておき、別途、調整弁を設けた口径の小さな給水用配管を備えるだけでよく、より簡易に、低コストで本発明の目的が達成できる。
【０００９】
第３の観点では、本考案は前記第１の観点の非常時給水用配管付水槽において、前記排水弁の少なくとも１つは前記変換管に設けられ、前記給水用配管は前記変換管の前記排水弁より前記排水管側に接続され、前記変換管の前記排水弁を開くことにより前記排水穴から放出される水を前記給水用配管を経由しないで放出し、前記変換管の前記排水弁を閉じることにより前記排水穴から放出される水を前記給水用配管を経由して放出することを特徴とする。本観点の考案では、常に変換管および給水用配管を従来の排水管に取り付けた状態にしておき、点検などの通常の目的で槽内の水を抜く場合は、変換管に設けた排水弁を開放とする。この場合、排水管に排水弁が設置されている場合はその排水弁も同時に開放とする。非常時に槽内の水を取水する場合には、変換管に設けた排水弁を閉じ、排水管に排水弁が設置されている場合はその排水弁を開放とし、給水用配管の調整弁を開くことにより口径の小さな給水用配管から放出することができる。この構成により、給水用配管の取り付け、取り外しの作業が不要となる。
【考案の効果】
【００１０】
以上のように、本考案によれば、通常の場合は槽内の水を短時間で抜くことができ、非常時には槽内の水を少量ずつ取水できる非常時給水用配管付水槽が得られる。
【図面の簡単な説明】
【００１１】
【図１】実施例１に係る非常時給水用配管付水槽の基本的な構成を模式的に示す図であり、通常の場合の構成図。
【図２】実施例１に係る非常時給水用配管付水槽の基本的な構成を模式的に示す図であり、非常時に槽内から取水する場合の構成図。
【図３】変換管１と給水用配管２の拡大図。
【図４】実施例２に係る非常時給水用配管付水槽の構成を模式的に示す図であり、非常時に槽内から取水する場合の構成図。
【図５】実施例３に係る非常時給水用配管付水槽の構成を模式的に示す図であり、通常時に使用する場合の構成図。
【図６】実施例４に係る非常時給水用配管付水槽の構成を模式的に示す図。
【図７】従来の受水槽の基本的な構成を模式的に示す構成図。
【考案を実施するための形態】
【００１２】
以下、図面を参照して本考案の非常時給水用配管付受水槽を実施例により詳細に説明する。なお、図面の説明において同一の要素には同一符号を付し、その重複した説明を省略する。
【実施例１】
【００１３】
図１、図２は、実施例１に係る非常時給水用配管付水槽の基本的な構成を模式的に示す図であり、図１は通常の場合の構成図、図２は非常時に槽内から取水する場合の構成図である。図３は、図１および図２における変換管１と給水用配管２の拡大図である。図１において、本実施例の非常時給水用配管付水槽２０は、受水槽２０であり、底部にある排水穴１１に一端が接続された排水管１２と、排水管１２の他端に一端が接続された変換管１と、排水管１２に設けられた１つの排水弁１３と、排水管１２より小さな口径を有し変換管１に接続可能な給水用配管２と、給水用配管２に設けられた流水量を調整する調整弁３とを有し、排水穴１１から放出される水を給水用配管２を経由しないで排水口１５に放出する手段と、排水穴１１から放出される水を給水用配管２を経由して取水する手段とを選択可能としている。槽１０、排水穴１１、排水管１２、排水弁１３などの構成および形状は図７に示した従来の受水槽２４と同様である。
【００１４】
具体的には、図３に示すように、変換管１は、上端部１ａが排水管１２に接続され、下端部１ｂには給水用配管２の上端部２ａの接続および取り外しが可能なように構成されている。上端部１ａおよび下端部１ｂの口径は短時間の排水が可能となるように排水管１２の口径と同一かまたは同程度が望ましい。変換管１の上端部１ａの構造および形状は、排水管１２の接続部の材質や形状に応じて選択される。例えば、排水管１２の接続部にねじが切ってあればそれに合うねじを設けてもよく、排水管１２の接続部が樹脂であって接着固定による接続が望ましければ、その接続法に最適な構造であってもよい。給水用配管２の上端部２ａは、その口径は変換管１の下端部１ｂと同じである。給水用配管２は通常の家庭用の水道と同程度の口径を有する小配管２ｂを有し、調整弁３としては、例えば家庭用の水道栓が使用できる。また、給水用配管２の蛇口２ｃは図３のように９０度に曲がった蛇口であってもよく、ストレートの蛇口であってもよい。この場合、給水用配管２の実現方法として、例えば、片端が変換管１の下端部１ｂの口径にねじで嵌め合い、他端が一般的な家庭用水道栓にねじで嵌め合うような変換アダプタと、水道栓とを組み合わせて構成してもよい。
【００１５】
本実施例では、図１に示すように、通常は給水用配管２を変換管１に接続していないので、槽１０内の点検や清掃の場合、排水弁１３を開くことにより排水穴１１から放出される水を変換管１を通してそのまま排水口１５に放出する。一方、非常時に槽内から取水する場合、給水用配管２の上端部２ａを変換管１の下端部１ｂに接続して排水弁１３を開くことにより、図２に示すように、排水穴１１から放出される水を給水用配管２の蛇口２ｃを経由して取水する。この場合、図２に示すように、排水口１５とそれに接続された管は通常、容易に取り外しが可能であるので、それらをはずして給水用配管２を変換管１に取り付けることが可能である。なお、給水用配管２と変換管１の形状を小型化すれば、排水口１５をそのままにして給水用配管２を変換管１に取り付けることも可能である。
【実施例２】
【００１６】
図４は、実施例２に係る非常時給水用配管付水槽の構成を模式的に示す図であり、非常時に槽内から取水する場合の構成図である。本実施例では、基本的な構成は実施例１と同様である。但し、本実施例においては、非常時給水用配管付水槽（受水槽）２１の槽１０の底部にある排水穴１１に一端が接続された排水管１２は槽１０の側面まで水平方向に引き出され、その引き出された部分に排水弁１３が設置されている。さらに、排水管１２の先端には水平方向から下方に９０度曲げられた配管が接続され、下方に排水するように構成されている。本実施例においては、この９０度曲げられた配管の代わりに同様の形状の変換管４を排水管１２の先端に接続する。非常時に槽内から取水する場合には、図４のように変換管４の他端に調整弁６を設けた給水用配管５が接続される。
【００１７】
実施例１の場合と同様に、非常時に槽１０内から取水する場合、給水用配管５を接続して排水弁１３を開くことにより、給水用配管５を経由して取水する。通常時は給水用配管５を変換管４に接続しないで、排水弁１３を開くことにより排水穴１１から放出される水を変換管４を通してそのまま放出する。
【実施例３】
【００１８】
図５は、実施例３に係る非常時給水用配管付水槽の構成を模式的に示す図であり、通常時に使用する場合の構成図である。本実施例では、基本的な構成は実施例１と同様である。但し、本実施例においては、非常時給水用配管付水槽（受水槽）２２の槽１０の底部にある排水穴１１に一端が接続された排水管１２は槽１０の側面まで水平方向に引き出され、その引き出された部分に排水弁１３が設置されている。さらに、槽内に基準の満水レベル以上の水が注水されたときに余剰の水を排水するための配管１６を排水管１２の先端に合流させて排水口１５に放出する構成となっている。本実施例では、配管１６と排水管１２の合流部分を変換管７に置き換えた構成であり、変換管７はＴ字型形状であり、上端部７ａは配管１６に接続し、側端部７ｂは排水管１２に接続し、下端部７ｃは給水用配管５の上端部５ａに接続可能となっている。非常時に槽内から取水する場合には、排水口１５を撤去し、変換管７の下端部７ｃに調整弁６を設けた給水用配管５を接続する。
【実施例４】
【００１９】
図６は、実施例４に係る非常時給水用配管付水槽の構成を模式的に示す図である。本実施例においては、非常時給水用配管付水槽（受水槽）２３の槽１０の底部にある排水穴１１に一端が接続された排水管１２は、実施例１と同様に下方に引出され、排水弁１３を設けている。但し、本実施例の変換管８はＴ字型形状であり、上端部８ａは排水管１２に接続し、側端部８ｂは給水用配管２に接続し、下端部８ｃには排水弁９が設けられている。すなわち、給水用配管２は変換管８の排水弁９より排水管１２側に接続されている。本実施例においては、通常時の点検などの場合、排水管１２の排水弁１３を開き、さらに変換管８の排水弁９を開くことにより排水穴１１から放出される水を給水用配管２を経由しないで排水口１５に放出する。一方、非常時に取水する場合は、排水管１２の排水弁１３を開き、変換管８の排水弁９を閉じることにより排水穴１１から放出される水を給水用配管２を経由して取水することができる。本実施例においては、上記の他の実施例のように給水用配管を取り付けたり、取り外したりする作業が不要となる。なお、本実施例においては、排水管１２に設けた排水弁１３がなくても本考案の目的は達成可能である。
【００２０】
上記の実施例は、水槽として受水槽に本考案を適用する場合について説明したが、同様の排水構造を有する高架水槽においても本考案の適用が可能である。以上のように、本考案の非常時給水用配管付水槽では、通常の場合は槽内の水を短時間で抜くことができ、非常時には槽内の水を少量ずつ取水できる。従来の受水槽または高架水槽に対して変換管と給水用配管を付加することにより容易に本考案の非常時給水用配管付受水槽を構成することができる。また、通常時の点検などにおける排水も従来と同様に行うことができる。
【００２１】
なお、本考案は上記の実施例に限定されるものではないことは言うまでもなく、目的や用途に応じて設計変更可能である。例えば、本考案を適用する受水槽または高架水槽は実施例以外の構造であってもよい。排水管、排水弁、変換管、給水用配管の構造や材料も互いに接続される管の形状や材料および目的に合わせて選択可能である。
【符号の説明】
【００２２】
１、４、７、８        変換管
２、５                給水用配管
２ｂ                  小配管
２ｃ                  蛇口
３                    調整弁
１ａ、２ａ、７ａ、８ａ  上端部
１ｂ、７ｃ、８ｃ        下端部
７ｂ、８ｂ              側端部
９、１３              排水弁            
１０                  槽
１１                  穴
１２                  排水管
１５                  排水口
１６                  配管
２０、２１、２２、２３  非常時給水用配管付水槽
２４                  受水槽
【図１】
0003175681.tif 000003
【図２】
0003175681.tif 000004
【図３】
0003175681.tif 000005
【図４】
0003175681.tif 000006
【図５】
0003175681.tif 000007
【図６】
0003175681.tif 000008
【図７】
0003175681.tif 000009